(57)【要約】【課題】  利用者・物体等がドア体と外壁面との間に仮に挟まれても、怪我を負ったり、損傷したりすることがない安全性に優れた回転ドアを提供する。【解決手段】    垂直状に設けた回転軸Ｓを中心にして等間隔にドア体１を放射状に設けて構成した回転ドアにおいて、放射状に設けた各ドア体１は、回転軸Ｓの軸心方向と平行する線に沿って分割した所定の大きさの複数の分割ドア２により形成するとともに、互いの分割ドア２同士はヒンジ３を介して結合し、その回転軸Ｓ側以外の分割ドア２はその回転軸Ｓの軸心と平行する線を中心にして回動自在とするのである。【選択図】      図４
0003104912.tif 000002
【実用新案登録請求の範囲】
【請求項１】
垂直状に設けられた回転軸を中心にして等間隔にドア体を放射状に設けて構成される回転ドアにおいて、
前記放射状に設けられる各ドア体は、前記回転軸の軸心方向と平行する線に沿って分割された所定の大きさの複数の分割ドアにより形成されるとともに、互いの分割ドア同士はヒンジを介して結合され、その回転軸側以外の分割ドアはその回転軸の軸心と平行する線を中心にして回動自在としたことを特徴とする回転ドア。
【請求項２】
請求項１に記載の回転ドアにおいて、ヒンジは、回転軸の回転方向と反対方向のみに回転するものであることを特徴とする回転ドア。
【請求項３】
請求項１又は２に記載の回転ドアにおいて、ヒンジは、ばね付ヒンジからなり、そのばね力は、常時、複数の分割ドアを回転軸を中心として放射方向に一直線に揃えるように作用するものであることを特徴とする回転ドア。
【請求項４】
請求項１乃至３のいずれかに記載の回転ドアにおいて、複数の分割ドアは、回転軸側の分割ドアに固定された磁石を介して他の分割ドアを吸着して、常時、複数の分割ドアを回転軸を中心として放射方向に一直線に揃えるものであることを特徴とする回転ドア。
【請求項５】
請求項１乃至４のいずれかに記載の回転ドアにおいて、複数の分割ドアは、ドア体の下端から所定高さに設けられるものであることを特徴とする回転ドア。
【請求項６】
垂直状に設けられた回転軸を中心にして等間隔にドア体を放射状に設けて構成される回転ドアにおいて、
前記放射状に設けられる各ドア体は、前記回転軸の軸心方向と平行する線に沿って分割された所定の大きさの２個の分割ドアにより形成されるとともに、その回転軸から離れた方の分割ドアは、その回転軸側の分割ドアに回転自在に懸垂され、常時、これら２個の分割ドアは回転軸を中心として放射方向に一直線に揃えられていることを特徴とする回転ドア。
【請求項７】
垂直状に設けられた回転軸を中心にして等間隔にドア体を放射状に設けて構成される回転ドアにおいて、
前記放射状に設けられる各ドア体は、前記回転軸の軸心方向と平行する線に沿って分割された所定の大きさの２個の分割ドアにより形成されるとともに、その回転軸から離れた方の分割ドアは、所定の圧力が加えられたときに破壊されるものであることを特徴とする回転ドア。
【請求項８】
垂直状に設けられた回転軸を中心にして等間隔にドア体を放射状に設けて構成される回転ドアにおいて、
前記放射状に設けられる各ドア体は、前記回転軸の軸心方向と平行する線に沿って分割された所定の大きさの２個の分割ドアにより形成されるとともに、その回転軸から離れた方の分割ドアは、その回転軸側の分割ドア側方向に移動自在に設けられ、常時、その回転軸から離れた方の分割ドアは一つのドア体を形成するようにその回転軸から離れる方向に位置し、その回転軸から離れた方の分割ドアに所定の圧力が加えられたときに、その回転軸から離れた方の分割ドアは手動又は自動でその回転軸側の分割ドア方向に移動するものであることを特徴とする回転ドア。
【請求項９】
請求項１乃至８のいずれかに記載の回転ドアにおいて、回転軸は、手動又は自動で回転されるものであることを特徴とする回転ドア。
【考案の詳細な説明】
【技術分野】
【０００１】
この考案は回転ドアに係り、特に自動又は手動で回転する回転ドアにおける事故、例えば通過者等が回転ドア本体と周囲枠である外壁面との間で挟まるような事故を未然に防止できるようにした回転ドアに関する。
【背景技術】
【０００２】
従来、この種の回転ドアは、特許文献１に示すように、垂直状に設けられている回転軸（支軸）の周囲に等間隔に、かつ、その回転軸の長手方向に沿って複数枚の、例えば３枚又は４枚のドア体が放射状に取付けられて構成されているとともに、これらドア体が回転する周囲には、ドア体と摺接する位置を保って外壁面が設けられている。そして、その外壁面には、回転軸の中心位置を通る直線を中心にして互いに隣接する２個のドア体の外側（回転軸と反対側）の間隔と等しい所定幅の開口部が対向して通過者の通行用の出入り口開口として２個設けられている。
【０００３】
上記構成からなる回転ドアにおいて、回転軸が手動又は自動で回転し、互いに隣接する２個のドア体間が一方の開口部に一致したときに、通過する利用者はその２個のドア体間の空間内に入ることができる。そして、その２個のドア体間の空間内に入った利用者は、回転ドアの回転と共に移動し、その２個のドア体間の空間が他方の開口部に一致したときに、利用者はその２個のドア体間の空間内から出ることができる。したがって、一方の開口部が建物の外側に位置し、他方の開口部が建物の内側に位置しているときは、利用者は、一方の開口部、回転ドア及び他方の開口部を介して外側から建物の中に入ることができ、また、利用者は、他方の開口部、回転ドア及び一方の開口部を介して建物の中から外に出ることができる。
【０００４】
このような回転ドアは、建物の内部と外部の環境を空間的に隔てるのに優れていて、冷暖房の効いた建物室内の空気と建物外の空気とを遮断することができるという特長を有している。すなわち、回転ドアは、外の高温の空気又は冷たい空気が室内に入るのを効果的に防止することができるという特長を有している。また、回転ドアは、超高層ビルや大きな吹き抜け空間のアトリウムなどでの入り口付近で空気圧の差によって突風が発生するのを効果的に防止することができるという特長も有している。
【特許文献１】特開２００３−２４７３７５号公報
【考案の開示】
【考案が解決しようとする課題】
【０００５】
かかる従来の回転ドアは、冷暖房効果を高めることができる等の優れた特長を有するドア装置であるが、回転ドアを構成する回転軸に取付けられる各ドア体は、その平面形状が縦長の長方形で、かつ、所定の厚さを有する一枚のガラス製等の剛体からなるので、ドア体と外壁面との間に通過する利用者が挟まれると、ドア体を移動させる駆動力によって重大な事故につながるおそれがあった。
【０００６】
このような事故を防止するために、ドア体と外壁面との間に利用者が挟まったことを検出する焦電式、反射式等のセンサを設け、このセンサが利用者を検出したときに回転ドアの駆動を停止できるように構成されている。しかし、センサが故障していたり、あるいはセンサの検出範囲の広狭の設定が適切でなかったりすることによっては、利用者、例えば子供（小児）を検出できず、事故を未然に防止することができないおそれがあった。
【０００７】
そこで、この考案は、上記欠点を解決するためになされたものであって、その目的は、仮に通過する利用者がドア体と外壁面との間に挟まれても、利用者が怪我を負うことがなく、その脱出空間を構成することで速やかに脱出できるようにした安全性に優れた回転ドアを提供することにある。
【課題を解決するための手段】
【０００８】
この考案に係る回転ドアは、上記目的を達成するために、第１に自動回転ドアと手動回転ドアとを組み合わせたものとして製作すること、すなわち自動で各ドア体が回転中であってもいつでも手動で操作できるように製作すること、第２に各ドア体はそのいずれもが利用者等の物体が挟まればその部分に空間ができるようにすること、第３にこれらを組み合わせて製作するのであり、その製作方法、形状はこれらが実現できるものであればいかような形態とすることもできるのである。
その具体的な一例として、垂直状に設けられた回転軸Ｓを中心にして等間隔にドア体１を放射状に設けて構成される回転ドアにおいて、前記放射状に設けられる各ドア体１は、前記回転軸Ｓの軸心方向と平行する線に沿って分割された所定の大きさの複数の分割ドア２により形成されるとともに、互いの分割ドア２同士はヒンジ３を介して結合され、その回転軸Ｓ側以外の分割ドア２はその回転軸Ｓの軸心と平行する線を中心にして回動自在としたことを特徴としており、また、この考案に係る回転ドアにおいての分割ドア２の数は、２個又は３個以上であることを特徴としている。
上記構成からなる回転ドアは、ドア体１が回転しているときに、そのドア体１に回転を妨げる力が加わると、つまり、ドア体１と外壁面Ｗとの間に利用者その他が挟まれると、分割ドア２がヒンジ３を介して回転して、ドア体１の回転を妨げる力を逃がすように作用する。
さらに、この考案に係る回転ドアにおいて、ヒンジ３は、回転軸Ｓの回転方向と反対方向のみに回転するものであることを特徴としており、例えばヒンジ３は、ばね付ヒンジからなり、そのばね力は、常時、複数の分割ドア２を回転軸Ｓを中心として放射方向に一直線に揃えるように作用するものであることを特徴としている。
また、この考案に係る回転ドアにおいて、複数の分割ドア２は、回転軸Ｓ側の分割ドア２に固定された磁石４を介して他の分割ドア２を吸着して、常時、複数の分割ドア２を回転軸Ｓを中心として放射方向に一直線に揃えられるものであることを特徴としている。
さらに、この考案に係る回転ドアにおいて、複数の分割ドア２は、ドア体１の下端から所定高さに設けられるものであることを特徴としている。
そして、この考案に係る回転ドアは、垂直状に設けられた回転軸Ｓを中心にして等間隔にドア体を放射状に設けて構成される回転ドアにおいて、前記放射状に設けられる各ドア体１は、前記回転軸Ｓの軸心方向と平行する線に沿って分割された所定の大きさの２個の分割ドア２により形成されるとともに、その回転軸Ｓから離れた方の分割ドア２は、その回転軸Ｓ側の分割ドア２に回転自在に懸垂され、常時、これら２個の分割ドア２は回転軸を中心として放射方向に一直線に揃えられていることを特徴としている。
また、この考案に係る回転ドアは、垂直状に設けられた回転軸Ｓを中心にして等間隔にドア体１を放射状に設けて構成される回転ドアにおいて、前記放射状に設けられる各ドア体１は、前記回転軸Ｓの軸心方向と平行する線に沿って分割された所定の大きさの２個の分割ドア２により形成されるとともに、その回転軸Ｓから離れた方の分割ドアは、所定の圧力が加えられたときに破壊されるものであることを特徴としている。
さらに、この考案に係る回転ドアは、垂直状に設けられた回転軸Ｓを中心にして等間隔にドア体１を放射状に設けて構成される回転ドアにおいて、前記放射状に設けられる各ドア体１は、前記回転軸Ｓの軸心方向と平行する線に沿って分割された所定の大きさの２個の分割ドア２により形成されるとともに、その回転軸Ｓから離れた方の分割ドア２は、その回転軸Ｓ側の分割ドア２側方向に移動自在に設けられ、常時、その回転軸Ｓから離れた方の分割ドア２は一つのドア体１を形成するようにその回転軸Ｓから離れる方向に位置し、その回転軸Ｓから離れた方の分割ドア２に所定の圧力が加えられたときに、その回転軸から離れた方の分割ドア２は手動又は自動でその回転軸Ｓ側の分割ドア２方向に移動するものであることを特徴としている。
そして、この考案に係る回転ドアは、回転軸Ｓは、手動又は自動で回転されるものであることを特徴としており、場合によっては回転軸Ｓは、固定した支軸の周囲で回転する中空状に形成されることもある。
【考案の効果】
【０００９】
以上のように構成されたこの考案に係る回転ドアにおいて、放射状に設けられるドア体１は、回転軸Ｓの軸心方向と平行する線に沿って分割された所定の大きさの複数の分割ドア２により形成されるとともに、互いの分割ドア２同士はヒンジ３を介して結合され、その回転軸Ｓ側以外の分割ドア２はその回転軸Ｓの軸心と平行する線を中心にして回動自在としているので、何らかの原因でドア体１と外壁面Ｗとの間に利用者又はその利用者の手荷物等の物体が挟まれたときは、ドア体１が駆動していても、分割ドア２がその挟まれた物体を回避するように回動するので、利用者が怪我を負ったり、物体が損傷したりすることがなく、極めて安全性に高い優れた回転ドアとすることができる。
【００１０】
さらに、この考案に係る回転ドアは、ヒンジ３を回転軸Ｓの回転方向と反対方向のみに回転するようにしているので、回転ドアが手動式のときにも容易に対処することが可能である。
【００１１】
そして、この考案に係る回転ドアは、ヒンジ３をばね付ヒンジとし、そのばね力は、常時、複数の分割ドア２を回転軸Ｓを中心として放射方向に一直線に揃えるように作用するようにしているので、出入り口を開閉するときの分割ドア２を回転軸Ｓを中心として放射方向に一直線に容易に揃えることができ、また非常時では分割ドア２に危険からの回避動作をさせるのである。
【００１２】
また、この考案に係る回転ドアは、複数の分割ドア２を回転軸Ｓ側の分割ドア２に固定された磁石４を介して他の分割ドア２を吸着して、常時、複数の分割ドア２を回転軸Ｓを中心として放射方向に一直線に揃えられているようにしたので、何らかの原因でドア体１と外壁面Ｗとの間に利用者又はその利用者の手荷物等の物体が挟まれたときに、分割ドア２の磁石４による保持力が容易に外れて回動することができる。
【００１３】
さらに、この考案に係る回転ドアは、複数の分割ドア２をドア体１の下端から所定高さに設けられるものとしているので、分割ドア２の小型化・軽量化等を図ることができ、また童幼児等の身長が高くない利用者に対しての安全性を特に配慮したものとできる。
【００１４】
そして、この考案に係る回転ドアにおいて、放射状に設けられるドア体１は、回転軸Ｓの軸心方向と平行する線に沿って分割された所定の大きさの２個の分割ドア２により形成されるとともに、その回転軸Ｓから離れた方の分割ドア２は、その回転軸Ｓ側の分割ドア２に回転自在に懸垂され、常時、これら２個の分割ドア２は回転軸を中心として放射方向に一直線に揃えられているようにしたので、分割ドア２自体の回転が容易に行える特長がある。
【００１５】
また、この考案に係る回転ドアは、放射状に設けられるドア体１は、回転軸Ｓの軸心方向と平行する線に沿って分割された所定の大きさの２個の分割ドア２により形成されるとともに、その回転軸Ｓから離れた方の分割ドアは、所定の圧力が加えられたときに破壊されるようにしているので、何らかの原因でドア体１と外壁面Ｗとの間に利用者又はその利用者の手荷物等の物体が挟まれたときは、分割ドア２自体が破壊されるものとなり、利用者が怪我を負うことがなく、また、物体が損傷することがなく、極めて安全性に優れた回転ドアとすることができる。
【００１６】
さらに、この考案に係る回転ドアは、放射状に設けられるドア体１は、前記回転軸Ｓの軸心方向と平行する線に沿って分割された所定の大きさの２個の分割ドア２により形成されるとともに、その回転軸Ｓから離れた方の分割ドア２は、その回転軸Ｓ側の分割ドア２側方向に移動自在に設けられ、常時、その回転軸Ｓから離れた方の分割ドア２は一つのドア体１を形成するようにその回転軸Ｓから離れる方向に位置し、その回転軸Ｓから離れた方の分割ドア２に所定の圧力が加えられたときに、その回転軸から離れた方の分割ドア２は手動又は自動でその回転軸Ｓ側の分割ドア２方向に移動するようにしているので、何らかの原因でドア体１と外壁面Ｗとの間に利用者又はその利用者の手荷物等の物体が挟まれたときは、分割ドア２がスライド状に移動し、利用者、物体等から即座に離反するようになるから、その挟まれた空間を大きく開放でき、したがって利用者が怪我を負うことがなく、また、物体が損傷することがなく、極めて安全性に優れた回転ドアとすることができる。
【００１７】
そして、この考案に係る回転ドアは、回転軸Ｓを手動又は自動で回転されるものとしているので、手動式の回転ドアにも、また、自動式の回転ドアにも容易に対処することができ、しかも、自動で回転中であっても挟まれたときには手動操作で開放でき、挟まれた利用者等は速やかに脱出でき、また物体等を安全に取り出すことができる。
【００１８】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１９】
以下、この考案を実施するための最良の形態を図１乃至図４を用いて説明する。図中、Ｓは回転軸であって、建物の出入口に垂直状に設けられ、その下部は床面に埋設された軸受Ｊに回転自在に軸支され、その上部は天井に設けられている駆動機構Ｍに接続されている。この駆動機構Ｍは、図示しないが、モータ、減速機、クラッチ及び制動機（ブレーキ）等から構成されていて、モータの回転力で回転軸Ｓを平面から見て半時計方向に所定の回転速度で回転できるように構成されている。また、クラッチが作動したとき、すなわち、図示しないセンサにより後述するドア体１と外壁面Ｗとの間に物体（利用者）が挟まれたことが検出されたときには、モータの回転力の伝達を完全に切断できるように構成されているとともに、制動機が駆動されて回転軸Ｓ（回転ドア）の回転を瞬時に停止できるように構成されている。なお、建物の出入口の利用者の通過方向が左側通過の場合は、回転軸Ｓの回転方向は、平面から見て時計方向の回転とされる。
【００２０】
上記回転軸Ｓには、その回転軸Ｓを中心にして等間隔に複数枚のドア体１が放射状に設けられている。図示の例では、４枚のドア体１が回転軸Ｓに設けられているが、３枚等であってもよい。図中、Ｗは外壁面であって、回転軸Ｓが回転したときのドア体１の先端縁部（回転軸Ｓと反対側の端部）の描く円に沿って円弧状に設けられ、ドア体１の先端縁部とわずかな間隙を保って設けられている。そして、この外壁面Ｗには、回転軸Ｓの中心位置を通る直線を中心にして互いに隣接する２個のドア体１の外側（回転軸と反対側）の間隔と等しい所定幅の開口部Ｘが出入り口の内外で対向して２個設けられている。
【００２１】
したがって、上記構成からなる回転ドアも、上記従来の回転ドアと同様に、回転軸Ｓが回転し、互いに隣接する２個のドア体１間が一方の開口部Ｘに一致したときに、利用者はその２個のドア体１間の空間内に入ることができる。そして、その２個のドア体１間の空間内に入った利用者は、回転ドアの回転と共に移動し、その２個のドア体１間の空間が他方の開口部Ｘに一致したときに、利用者はその２個のドア体１間の空間内から出ることができる。したがって、一方の開口部Ｘが建物の外側に位置し、他方の開口部Ｘが建物の内側に位置しているときは、利用者は、一方の開口部Ｘ、回転ドア及び他方の開口部Ｘを介して外側から建物の中に入ることができ、また、利用者は、他方の開口部Ｘ、回転ドア及び一方の開口部Ｘを介して建物の中から外に出ることができる。
【００２２】
次に、この考案の特徴部分であるドア体１について説明する。各ドア体１は同一形状及び同一構成であるので、以下、一枚のドア体１を例に説明する。ドア体１は、公知の回転ドアと同様に、その平面形状は縦長の長方形を呈し、所定の厚さを有するガラス板や合成樹脂板等の透明又は半透明の剛体を周囲枠で囲繞して成り、その長方形の長辺の一辺側が回転軸Ｓの軸心に沿うようにしてその回転軸Ｓに固定されている。したがって、回転軸Ｓが回転すると、ドア体１は、回転軸Ｓの回転に伴って回転軸Ｓを中心として回転することができる。なお、必要があれば回転しない支軸に中空状の回転軸Ｓを装着することもできる。
【００２３】
このドア体１は、回転軸Ｓの軸心方向と平行する線に沿って所定の大きさの複数の分割ドア２に分割されている。図示の例では３個に分割されていて、回転軸Ｓ側の分割ドア２はドア本体部分としてドア体１を縦方向にちょうど二分した大きさであり、残りの二つの分割ドア体は、二分されたドア体１を２対１の割合で更に二分した大きさを呈し、回転軸Ｓから離れるにしたがって大きさが小さくなるように形成されている。そして、互いの分割ドア２同士は、ヒンジ３を介して結合され、その回転軸Ｓ側以外の分割ドア２はその回転軸Ｓの軸心と平行する線、すなわち分割された線を中心にして揺動自在とされており、またドア本体部分に対してもヒンジ３を介して揺動自在とされている。
【００２４】
ヒンジ３は、互いに隣接する分割ドア２の上部及び下部の回転軸Ｓの回転方向側と反対側にそれぞれ設けられている。なお、ヒンジ３は、上部及び下部の間にも適宜設けることができる。このヒンジ３は、ヒンジ３を中心にしてドア体１の回転方向側には回転できず、ヒンジ３を中心にしてドア体１の回転方向と反対方向側のみに回転できるように構成されている（図４の二点鎖線で示される分割ドア２参照）。したがって、回転ドア１が手動の場合は、ドア体１を押すことにより回転軸Ｓを回転させることができる。
【００２５】
このヒンジ３は、図示しないが、ばね付ヒンジとして構成されていて、そのばねの力は、常時、各分割ドア２を回転軸Ｓを中心として放射方向に一直線に揃えるように作用している（図４の実線で示される分割ドア２参照）。そして、このばねの力は、ドア体１と外壁面Ｗとの間に物体（利用者）が挟まれたときに分割ドア２が図４の二点鎖線で示されるように回動できるように決められている。なお、この考案で「常時」というときは、ドア体１と外壁面Ｗとの間に物体（利用者）が挟まれていない状態のときを指している。
【００２６】
以上のように構成された実施の形態における使用の一例を次に説明すると、上記構成からなる回転ドアにおいて、駆動機構Ｍを介して回転軸Ｓが回転して回転ドアが駆動しているときに、何らかの原因でドア体１と外壁面Ｗとの間に利用者又はその利用者の手荷物等の物体が挟まれたときは、分割ドア２が図４の二点鎖線で示されるようにこれらを回避するように回動するので、利用者が怪我を負うことがなく、また、物体が損傷することがなく、極めて安全性に優れた回転ドアとすることができる。さらに、ヒンジ３の部分に分割ドア２が回動したことをリミットスイッチ等のスイッチを設けておき、そのスイッチの検出信号により駆動機構Ｍの駆動を停止（モータの停止、クラッチの切断又は制動機の駆動）をすれば、安全性を一層たかめることができる。
【００２７】
図５乃至図７は、この考案の他の実施の形態を示したもので、磁石４を用いて分割ドア２にドア体１に対する保持力を付与し、各分割ドア２を回転軸Ｓを中心として放射方向に一直線に容易に揃えられるようにしたものである。すなわち、この磁石４は例えば帯状の一本の磁石片からなり、ドア体１の上部上辺に沿い、かつ、回転軸Ｓの回転方向側に設けられ、回転軸Ｓ側の分割ドア２側に固定されている。また、この磁石４に対向する他の分割ドア２側には、図示しないが、鉄片等の磁性体が取付けられている。そして、この磁石４の磁力は、ドア体１と外壁面Ｗとの間に物体（利用者）が挟まれたときに、分割ドア２が図７に示されるように磁石４から離れて回動できるように設定されている。この場合も、ヒンジ３は、上述のように、ばね付ヒンジとすることができる他に、ばねの付いていない通常のヒンジとすることもできる。
【００２８】
この磁石４を備えた回転ドアにおいても、上記回転ドアと同様に、安全性に優れた回転ドアとすることができるとともに、各分割ドア２を回転軸Ｓを中心として放射方向に一直線に容易に揃えることができる効果がある。
【００２９】
図８乃至図１０は、この考案の他の実施の形態を示したもので、分割ドア２を回転軸Ｓから離れた位置で、かつ、ドア体１の下部側に設けている。なお、この場合においても、分割ドア２の高さは、大人の利用者の平均的な身長よりも十分に大きい高さ、例えば２．２ｍとされる。
【００３０】
この小型化された分割ドア２を備えた回転ドアにおいても、上記回転ドアと同様に、安全性に優れた回転ドアとすることができるとともに、各分割ドア２が小型化・軽量化されているので、その分、ヒンジ３の重量的な負担を軽減することができる。
【００３１】
図１１及び図１２は、この考案の他の実施の形態を示したもので、分割ドア２を回転軸Ｓから離れた位置で、かつドア体１の上部に設けられている懸垂装置５を介して回動自在に懸垂されている。この懸垂装置５は、本体部分から区画された子ドアとしての分割ドア２自体を回動自在に懸垂しているだけでなく、常時、この分割ドア２を回転軸Ｓを中心として放射方向に一直線に維持（保持）できるように、図示しないばねが設けられている。なお、この場合においても、分割ドア２の高さは、大人の利用者の平均的な身長よりも十分に大きい高さ例えば、２．２ｍとされている。
【００３２】
この回転自在に懸垂された分割ドア２を備えた回転ドアにおいても、上記回転ドアと同様に、安全性に優れた回転ドアとすることができるとともに、分割ドア２の揺動回転が容易に行われる特長がある。
【００３３】
図１３は、この考案の他の実施の形態を示したもので、回転軸Ｓから離れた位置の分割ドア２を発泡スチロール樹脂等の所定の圧力が加えられたとき、つまりドア体１と外壁面Ｗとの間に物体（利用者）が挟まれたときに、その分割ドア２が破壊されるような素材によって構成されている。このような破壊型の分割ドア２は、発泡スチロール樹脂に拘わらず、乗用自動車のフロントガラスのように、所定の押圧力が加えられたときに粒状に破壊されて利用者に怪我を与えないような材質であれば採用することができる。なお、この実施の形態における破壊される分割ドア２の大きさは、挟まれた物体（利用者）が脱出ないし取り出し可能な空間を構成するに足りるものとされる。
【００３４】
この破壊型の分割ドア２を備えた回転ドアは、ドア体１と外壁面Ｗとの間に物体（利用者）が挟まれたときに、ドア体１が駆動回転していても分割ドア２が破壊されるので、利用者が怪我をしたり、あるいは物体が損傷を受けるのを未然に防止することができる。
【００３５】
図１４及び図１５は、この考案の他の実施の形態を示したもので、回転軸Ｓから離れた位置の分割ドア２を回転軸Ｓ側の分割ドア２側に移動できるようにしている。すなわち、回転軸Ｓから離れた位置の分割ドア２は、回転軸Ｓ側に軽い力が加えられると、回転軸Ｓ側の分割ドア２側に設けられている図示しないばねに抗して例えばスライド移動させることができて、外壁面Ｗとの間で大きな空間を形成できるように構成されている。なお、この回転軸Ｓから離れた位置の移動する（スライドする）分割ドア２は、回転軸Ｓ側の分割ドア２側に設けられている図示しないストッパによりドア体１の大きさが保持されるように構成されている。
【００３６】
このスライドする分割ドア２は、手動で簡単に移動できるようにするとともに、ドア体１と外壁面Ｗとの間に物体（利用者）が挟まれたことが図示しないセンサで検出されたときに、回転軸Ｓ側の分割ドア２側に設けられている図示しないリンク機構や油圧機構からなる公知の引き寄せ機構により自動的に移動させるようにしてもよい。もちろん、センサの検出信号により駆動機構Ｍの駆動は停止される。
【００３７】
なお、上述の例は、回転軸Ｓは駆動機構Ｍにより回転される自動式の回転ドアの例を示したが、利用者がドア体２を押して回転させる手動式の回転ドアであってもよい。
【００３８】
要は、この考案において、回転ドアを製作するには安全でなくてはならないので、第１にドア体１となる自動回転ドアに対して手動回転ドアとなる分割ドア２を組み合わせたものとして、すなわちドア体１が自動で回転中でもいつでも手動で回転できる分割ドア２とするように製作するのであり、第２に分割ドア２は、利用者・物体が挟まれば、その部分に空間ができるようにするのであり、第３にこれらの第１、第２の点を組み合わせて製作することとするのであり、この考案の目的を達成するためにその製作方法、形状、形態等はどのようなものであっても良いのである。
【図面の簡単な説明】
【００３９】
【図１】この考案を実施するための最良の形態を示す回転ドアの正面図である。
【図２】図１におけるＡ−Ａ線断面図である。
【図３】ドア体の正面図である。
【図４】ドア体の上面図である。
【図５】この考案の他の実施の形態に係るドア体の正面図である。
【図６】図５に示されたドア体の上面図である。
【図７】ドア体が屈曲した状態の上面図である。
【図８】この考案のさらに他の実施の形態に係るドア体の正面図である。
【図９】図８に示されたドア体の上面図である。
【図１０】ドア体が屈曲した状態の上面図である。
【図１１】この考案の他の実施の形態に係るドア体の正面図である。
【図１２】図１１に示されたドア体の上面図である。
【図１３】この考案のさらに他の実施の形態に係るドア体の一部切欠正面図である。
【図１４】この考案の他の実施の形態に係るドア体の正面図である。
【図１５】図１４に示されたドア体の上面図である。
【符号の説明】
【００４０】
Ｓ…回転軸                              Ｍ…駆動機構
Ｊ…軸受                                Ｗ…外壁面
Ｘ…開口部                              １…ドア体
２…分割ドア                            ３…ヒンジ
４…磁石                                ５…懸垂装置
【図１】
0003104912.tif 000003
【図２】
0003104912.tif 000004
【図３】
0003104912.tif 000005
【図４】
0003104912.tif 000006
【図５】
0003104912.tif 000007
【図６】
0003104912.tif 000008
【図７】
0003104912.tif 000009
【図８】
0003104912.tif 000010
【図９】
0003104912.tif 000011
【図１０】
0003104912.tif 000012
【図１１】
0003104912.tif 000013
【図１２】
0003104912.tif 000014
【図１３】
0003104912.tif 000015
【図１４】
0003104912.tif 000016
【図１５】
0003104912.tif 000017